(57)【特許請求の範囲】
【請求項１】
直線状に延びるパイプ部が浴槽の側壁に貫通状態に配置されるとともに、そのパイプ部に連通し、かつ浴槽内に開口する吐出口を有する流路仕切部材と、
前記パイプ部の上流側端部に連通接続するパイプ接続部を有し、そのパイプ接続部に連通するパイプ状の外管接続部が浴槽外に配置される槽外取付部材と、
前記パイプ部および前記パイプ接続部により構成される流路を、軸心方向流路としたとき、その軸心方向流路の上流側に設けられ、かつ軸心方向に沿って配置される整流板を有する整流部材と、を備え、
浴槽外から前記外管接続部を介して前記軸心方向流路に導入されたお湯が、方向転換して前記整流部材および前記軸心方向流路を通って前記吐出口から吐出されるようにしたことを特徴とする浴槽用出湯具。
【請求項２】
前記整流部材は、前記パイプ部の上流側端部内に適合状態に嵌め込まれる筒状体を備え、
前記筒状体の内部に前記整流板が設けられる請求項１に記載の浴槽用出湯具。
【請求項３】
前記パイプ部の軸心に沿って下流側から見た正面視の状態において、前記整流板は、前記筒状体の内部に放射線状に配置され、かつ周方向に等間隔おきに複数配置される請求項２に記載の浴槽用出湯具。
【請求項４】
前記外管接続部は、その軸心が前記パイプ部の軸心に対し略直角に配置される請求項１〜３のいずれか１項に記載の浴槽用出湯具。
【請求項５】
正面視の状態において、前記吐出口が、前記パイプ部の両側にそれぞれ位置するように２つ形成される請求項１〜４のいずれか１項に記載の浴槽用出湯具。
【請求項６】
前記パイプ部の下流側端部に連通接続するケーシング部が設けられ、
そのケーシング部の周壁に前記吐出口が形成される請求項２または３に記載の浴槽用出湯具。
【請求項７】
前記吐出口は、下向きに配置される請求項６に記載の浴槽用出湯具。
【請求項８】
作動時に前記吐出口を閉塞してお湯の供給を停止する遮断弁と、
前記吐出口の下流側における一側方に配置され、かつ所定の温度以上のお湯を感知した際に前記遮断弁を作動させる形状記憶部材と、を備える請求項１〜７のいずれか１項に記載の浴槽用出湯具。
【請求項９】
直線状に延びるパイプ部が浴槽の側壁に貫通状態に配置されるとともに、そのパイプ部に連通し、かつ浴槽内に開口する吐出口を有する流路仕切部材と、前記パイプ部の上流側端部に連通接続するパイプ接続部を有し、そのパイプ接続部に連通するパイプ状の外管接続部が浴槽外に配置される槽外取付部材と、を備え、浴槽外から前記外管接続部を介して前記パイプ接続部に導入されたお湯が、方向転換して前記パイプ部を通って前記吐出口から吐出されるようにした浴槽用出湯具の整流部材であって、
前記パイプ部の上流側端部に設けられ、かつ軸心方向に沿って配置される整流板を有することを特徴とする浴槽用出湯具の整流部材。
【発明の詳細な説明】
【技術分野】
【０００１】
この発明は、浴槽に取り付けられる浴槽用出湯具およびその整流部材に関する。
【背景技術】
【０００２】
一般的な浴槽設備においては、浴室外の給湯機で加熱されたお湯を、浴槽の側壁に設置された出湯具から、浴槽内に供給するようになっている。
【０００３】
例えば下記特許文献１〜３に示すように、高温差し湯式の浴槽用出湯具は、浴槽外から浴槽内に至る吐出流路と、浴槽内に開口し、かつ吐出流路に連通する吐出口とを備え、給湯機と吐出流路とが外管によって配管接続されている。そして、お湯が給湯機から外管を介して、出湯具の吐出流路内に導入されるとともに、その吐出流路を通過したお湯が吐出口から吐出されて浴槽内に供給されるようになっている。
【先行技術文献】
【特許文献】
【０００４】
【特許文献１】特許第２５８６８３２号
【特許文献２】特許第２６４３８９１号
【特許文献３】特開平８−２４７５５６号公報
【発明の概要】
【発明が解決しようとする課題】
【０００５】
ところで、上記従来の出湯具においては、その吐出流路の形状によって、吐出流路を流通するお湯に渦流が発生してしまい、そうすると、お湯の流れに偏りが生じ、お湯が吐出口から安定した状態で吐出されないという課題が発生する。その結果、供給するお湯の流量を十分に確保できない等の不具合が生じることがある。
【０００６】
この発明は、上記の課題に鑑みてなされたものであり、お湯が吐出口から安定した状態で吐出される浴槽用出湯具およびその整流部材を提供することを目的とする。
【課題を解決するための手段】
【０００７】
上記課題を解決するため、本発明は、以下の手段を備えるものである。
【０００８】
［１］直線状に延びるパイプ部が浴槽の側壁に貫通状態に配置されるとともに、そのパイプ部に連通し、かつ浴槽内に開口する吐出口を有する流路仕切部材と、
前記パイプ部の上流側端部に連通接続するパイプ接続部を有し、そのパイプ接続部に連通するパイプ状の外管接続部が浴槽外に配置される槽外取付部材と、
前記パイプ部および前記パイプ接続部により構成される流路を、軸心方向流路としたとき、その軸心方向流路の上流側に設けられ、かつ軸心方向に沿って配置される整流板を有する整流部材と、を備え、
浴槽外から前記外管接続部を介して前記軸心方向流路に導入されたお湯が、方向転換して前記整流部材および前記軸心方向流路を通って前記吐出口から吐出されるようにしたことを特徴とする浴槽用出湯具。
【０００９】
［２］前記整流部材は、前記パイプ部の上流側端部内に適合状態に嵌め込まれる筒状体を備え、
前記筒状体体の内部に前記整流板が設けられる前項１に記載の浴槽用出湯具。
【００１０】
［３］前記パイプ部の軸心に沿って下流側から見た正面視の状態において、前記整流板は、前記筒状体の内部に放射線状に配置され、かつ周方向に等間隔おきに複数配置される前項２に記載の浴槽用出湯具。
【００１１】
［４］前記外管接続部は、その軸心が前記パイプ部の軸心に対し略直角に配置される前項１〜３のいずれか１項に記載の浴槽用出湯具。
【００１２】
［５］正面視の状態において、前記吐出口が、前記パイプ部の両側にそれぞれ位置するように２つ形成される前項１〜４のいずれか１項に記載の浴槽用出湯具。
【００１３】
［６］前記パイプ部の下流側端部に連通接続するケーシング部が設けられ、
そのケーシング部の周壁に前記吐出口が形成される前項２または３に記載の浴槽用出湯具。
【００１４】
［７］前記吐出口は、下向きに配置される前項６に記載の浴槽用出湯具。
【００１５】
［８］作動時に前記吐出口を閉塞してお湯の供給を停止する遮断弁と、
前記吐出口の下流側における一側方に配置され、かつ所定の温度以上のお湯を感知した際に前記遮断弁を作動させる形状記憶部材と、を備える前項１〜７のいずれか１項に記載の浴槽用出湯具。
【００１６】
［９］直線状に延びるパイプ部が浴槽の側壁に貫通状態に配置されるとともに、そのパイプ部に連通し、かつ浴槽内に開口する吐出口を有する流路仕切部材と、前記パイプ部の上流側端部に連通接続するパイプ接続部を有し、そのパイプ接続部に連通するパイプ状の外管接続部が浴槽外に配置される槽外取付部材と、を備え、浴槽外から前記外管接続部を介して前記パイプ接続部に導入されたお湯が、方向転換して前記パイプ部を通って前記吐出口から吐出されるようにした浴槽用出湯具の整流部材であって、
前記パイプ部の上流側端部に設けられ、かつ軸心方向に沿って配置される整流板を有することを特徴とする浴槽用出湯具の整流部材。
【００１７】
本発明は、以下の構成も採用可能である。
【００１８】
［１０］前記吐出口の内部に、前記吐出口から吐出されるお湯の一部を他側方に誘導してお湯を拡散させるための拡散誘導部が設けられる前項１〜８のいずれか１項に記載の浴槽用出湯具。
【００１９】
［１１］前記吐出口および前記形状記憶部材を覆い、かつ前記吐出口から吐出されるお湯を流出させる開口部が形成されたカバー部材を備え、
前記吐出口と前記カバー部材の開口部との間に、前記吐出口から吐出したお湯を分流して他側方に誘導する分流部が設けられる前項１〜８，１０のいずれか１項に記載の浴槽用出湯具。
【発明の効果】
【００２０】
発明［１］の浴槽用出湯具によれば、軸心方向流路の上流側に整流部材を配置しているため、お湯が整流部材を通過することにより、整流されて渦流等が消失され、お湯の流れに偏りが生じず、お湯を安定した状態で吐出口から吐出させることができる。
【００２１】
発明［２］の浴槽用出湯具によれば、整流部材を流路仕切部材のパイプ部に嵌め込むだけで簡単に取り付けることができる。
【００２２】
発明［３］の浴槽用出湯具によれば、お湯がより確実に整流されて、お湯をより安定した状態で吐出口から吐出させることができる。
【００２３】
発明［４］の浴槽用出湯具によれば、外管接続部を介してパイプ接続部に導入されたお湯に渦流が特に発生し易いものであるが、その渦流を確実に消失させることができる。
【００２４】
発明［５］の浴槽用出湯具によれば、２つの吐出口から均等な状態でお湯を吐出させることができる。
【００２５】
発明［６］［７］の浴槽用出湯具によれば、ケーシング部内で乱流が発生し易いものであるが、整流部材を通過したお湯の流速を、パイプ部の下流側で低下させることができ、乱流の発生を防止でき、より一層安定した状態で吐出口から吐出させることができる。
【００２６】
発明［８］の浴槽用出湯具によれば、高温差し湯式の浴槽用出湯具に好適に採用することができる。
【００２７】
発明［９］によれば、上記と同様に同様の作用効果を奏する浴槽用出湯具の整流部材を提供することができる。
【図面の簡単な説明】
【００２８】
【図１】図１はこの発明の実施形態の高温差し湯式浴槽用出湯具を示す側面図である。
【図２】図２は実施形態の出湯具を分解して示す斜視図である。
【図３】図３は実施形態の出湯具を流路導通状態で示す正面断面図である。
【図４】図４は実施形態の出湯具を流路遮断状態で示す正面断面図である。
【図５】図５は実施形態における出湯器の流路仕切部材を示す正面図である。
【図６】図６は実施形態の流路仕切部材を示す側面図である。
【図７】図７は実施形態の流路仕切部材を示す下面図である。
【図８】図８は実施形態の流路仕切部材を分解して示す斜視図である。
【図９】図９は実施形態の流路仕切部材を示す正面断面図である。
【図１０】図１０は実施形態の流路仕切部材を整流部材嵌合状態で示す側面断面図である。
【図１１】図１１は実施形態の出湯具においてお湯の流れを説明するための片側半分の正面断面図であって、同図（ａ）は高流量時の正面断面図、同図（ｂ）は低流量時の正面断面図である。
【図１２】図１２は実施形態に採用された整流部材を示す図であって、同図（ａ）は側面図、同図（ｂ）正面図、同図（ｃ）は側面断面図である。
【図１３】図１３は実施形態の出湯具における吐出流路周辺を模式化して示すブロック図である。
【発明を実施するための形態】
【００２９】
図１はこの発明の実施形態である高温差し湯式浴槽用出湯具を示す側面図、図２はその出湯具の分解斜視図である。
【００３０】
両図に示すように、この出湯具は、浴槽の側壁Ｗに設けられた取付孔Ｈに組み付けられて、室外の給湯機から供給されるお湯を浴槽内に供給するものである。本実施形態において、室外給湯機は高温差し湯機能付きのものであり、空の浴槽内にお湯を供給する際の湯はり時には、４０℃前後の適温のお湯を供給できるとともに、浴槽内に低温のお湯（水）が残った状態で高温のお湯を注ぎ足す際の差し湯時（追い焚き時）には、８０℃以上の高温のお湯を供給できるようになっている。
【００３１】
本実施形態の出湯具は、槽外取付具１と、雄ねじ部材２と、流路仕切部材３と、整流部材６と、フィルター９とを基本的な構成要素として備えている。なお、本明細書においては、出湯具の軸心方向に沿って浴槽に対し内側（図１の左側）を「前側」または「正面側」とし、浴槽に対し外側（図１の右側）を「後側」または「裏面側」として説明する。
【００３２】
図１，２に示すように槽外取付部材１は、前面側が開放され、かつ後面側が閉塞された有底円筒形状の外筒部１２と、その外筒部１２の内部に同軸心上に配置される円筒形状の内筒部１１と、外筒部１２の前端外周に設けられた平板リング状のフランジ部１５と、外周部１２の周壁後端に側方に突出するように一体に設けられるパイプ状の外管接続部１３とを一体に有している。
【００３３】
内筒部１１の内部空間は、外管接続部１３の内部空間に連通接続されており、内筒部１１および外管接続部１３の両内部空間が共に、後述の吐出流路Ａの一部として構成されている。内筒部１１の軸心に対し、外管接続部１３の軸心はほぼ直交しており、後述するように、外管接続部１３に導入されるお湯が、外管接続部１３から内筒部１１に流入される際に、ほぼ９０°方向転換するようになっている。
【００３４】
本実施形態においては、内筒部１１によってパイプ接続部が構成されている。
【００３５】
外筒部１２の前部内周面には、雄ねじ部材２に組み付けるための雌ねじが刻設されている。
【００３６】
なお、槽外取付部材１のフランジ部１５の外周縁部には、そのフランジ部１５と浴槽外壁面との間の水密を図るための合成樹脂製のパッキンが取り付けられる。
【００３７】
図１，２に示すように雄ねじ部材２は、前後両端が開放された円筒形状の胴部２１と、その胴部２１の前端外周に設けられた平板リング状のフランジ部２５とを一体に有する鍔付き円筒形状の成形品をもって構成されている。
【００３８】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００３９】
この雄ねじ部材２が上記槽外取付部材１と共に、浴槽の側壁Ｗに固定されるものである。すなわち槽外取付部材１のフランジ部１５が、浴槽の外壁面における取付孔Ｈの周縁部に沿うように配置された状態で、雄ねじ部材２のフランジ部２５が、合成ゴム製のリング状パッキン（図示省略）を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽の側壁Ｗにおける取付孔周縁部が挟持されて、両部材１，２が側壁Ｗに貫通状態に組み付けられる。
【００４０】
図５〜１０は流路仕切部材３を示す図である。これらの図に示すように、流路仕切部材３は、軸心方向（前後方向）に沿って直線状に延びる細長い円筒形状のパイプ部３１と、そのパイプ部３１の前端部に設けられた円板状の円板部４１とを有している。
【００４１】
円板部４１の前面には、前方に突出するように弁ケーシング本体４２が形成されている。この弁ケーシング本体４２は、中空構造で上端が開放されており、その上端開口部に、弁ケーシング蓋４３がねじ４４によって固定されている。
【００４２】
本実施形態においては、円板部４１の一部、弁ケーシング本体４２および弁ケーシング蓋４３によって中空構造のケーシング部が構成されるとともに、それらによって囲まれた部分が、弁室４として構成されている。そしてこの弁室４は、吐出流路Ａの一部を構成するものである。
【００４３】
パイプ部３１はその内部が吐出流路Ａの一部として構成されている。パイプ部３１の内部は、パイプ部３１の前端開口を介して、弁室４の内部と連通されている。
【００４４】
弁ケーシング本体４２の下壁両側には、矩形状の吐出口４５，４５がそれぞれ形成されている。正面視（正面断面視）の状態の状態で、吐出口４５，４５は、パイプ部３１を挟んだ両側に配置されている。
【００４５】
本実施形態において、吐出口４５，４５は、上下方向に長さを有するものであり、その上端が弁室４に開放されるととに、下端が弁ケーシング本体４２の下端面において外部に開放されている。
【００４６】
各吐出口４５，４５は、それぞれ下向きに開放されており、軸心がそれぞれ上下方向に沿うように配置されている。
【００４７】
吐出口４５，４５の下端部における内周四側面のうち、内側（一側方）の側面には、拡散誘導部４６が形成されている。この拡散誘導部４６は、斜め外側に向かう傾斜面、具体的には、下方（下流側）に向かうに従って次第に、外側（他側方）に向かう傾斜面によって構成されている。
【００４８】
ここで本実施形態において、「一側方」「他側方」という場合、吐出口４５，４５の軸心の位置を基準として、出湯具の中心側（後述の形状記憶バネ５５が配置される側）の方向を、一側方（内側）とし、出湯具の中心から遠ざかる方向（形状記憶バネ５５から遠ざかる方向）を他側方（外側）としている。
【００４９】
図３，４，８等に示すように、弁室４内に設けられる弁軸５１は、両側の吐出口４５，４５間における弁室４の左右方向中間位置において上下方向に沿って配置されている。この弁軸５１は、その下側が弁ケーシング本体４２の下端壁を上下方向にスライド可能に貫通し、上端部が弁ケーシング蓋４３に上下方向にスライド自在に取り付けられることにより、弁ケーシング本体３１に対し上下方向（軸方向）にスライド可能に構成されている。
【００５０】
弁室４内において、弁軸５１には、弁軸５１と共にスライド移動する弁部材５２の中間部が固定されている。弁部材５２の両側部は、遮断弁５３，５３としてそれぞれ構成されており、各遮断弁５３，５３が、各吐出口４５，４５に対応して配置されている。
【００５１】
弁室４の内周面における吐出口４５，４５の開口縁部は、弁座として構成されている。そして図３に示すように、弁軸５１が上方にスライドした位置に配置された状態では、遮断弁５３，５３が吐出口４５，４５から離間して、吐出口４５，４５が開放される。この状態は、お湯が吐出口４５，４５を通過できるため、お湯の供給が可能な吐出流路Ａが導通された状態である。
【００５２】
また図４に示すように、弁軸５１が下方にスライドした際には、遮断弁５３，５３によって吐出口４５，４５が閉塞される。この状態は、お湯が吐出口４５，４５を通過できないため、お湯の供給が不可能な吐出流路Ａが遮断された状態である。
【００５３】
弁軸５１における弁部材５２と弁室４の下面との間には、圧縮コイルバネ５４が外嵌されている。この圧縮コイルバネ５４の付勢力は伸長方向に作用しており、この付勢力によって、通常状態では図３に示すように、弁部材５２が弁軸５１と共に上方に押し上げられて、遮断弁５３，５３が吐出口４５，４５から離間して、吐出口４５，４５が開放されている。
【００５４】
円板部４１の下端中央部には、下方に延びてから前方に突出するバネ受け片４７が形成されている。このバネ受け片４７の前方突出部には、形状記憶部材としての形状記憶合金からなる形状記憶バネ５５の下端が取り付けられるとともに、その形状記憶バネ５５の上端が弁軸５１の下端に取り付けられる。
【００５５】
この形状記憶バネ５５は、快適に入浴できるお湯の温度よりも高い温度を感知すると、収縮するとともに、その温度未満の温度環境下では、伸長状態が維持されるように形状記憶されている。
【００５６】
従って、この形状記憶バネ５５に高温のお湯が触れると、図４に示すように形状記憶バネ５５が収縮して、弁軸５１が弁部材５２と共に圧縮コイルバネ５４の付勢力に抗して下方にスライドすることにより、遮断弁５３，５３によって吐出口４５，４５が閉塞される。
【００５７】
円板部４１における形状記憶バネ５５の両側において、形状記憶バネ５５と、両側吐出口４５，４５との間には、下方に延びる仕切壁５６，５６が形成されている。
【００５８】
仕切壁５６，５６は、その上端が弁ケーシング本体４２における吐出口４５，４５の内側に接続されるとともに、下端が円板部４１の外周縁部における形状記憶バネ５５の下端近傍に配置されている。
【００５９】
図５，９に示す正面視の状態において、仕切壁５６，５６の下端縁には、その下端面における吐出口４５，４５側のコーナー部、換言すれば下端面と吐出口４５，４５側の側面（外側面）との間のコーナー部が面取り状に形成されて、回り込み誘導面５６１，５６１が形成されている。
【００６０】
さらに仕切壁５６，５６の吐出口４５，４５側の側面（外側面）における上記回り込み誘導面５６１，５６１よりも上方には、下方（下流側）に向かうに従って外側（他側方）に向かうように傾斜する外側誘導面５７，５７が形成されている。
【００６１】
ここで本実施形態においては、図７等に示すように、回り込み誘導面５６１，５６１および外側誘導面５７，５７を含む仕切壁５６，５６の前端位置は、吐出口４５，４５よりも前方に配置されている。
【００６２】
図３〜５に示すように、円板部４１における吐出口４５，４５の下流側には、仕切壁５６，５６から外側に離間して、分流部５８，５８が形成されている。
【００６３】
分流部５８，５８は、吐出口４５，４５に対向する側の面が、下方（下流側）に向かうに従って外側（他側方）に向かうように傾斜する外側誘導面５８１，５８１として構成されている。
【００６４】
ここで本実施形態においては、図７等に示すように、外側誘導面５８１，５８１を含む分流部５８，５８の前端位置は、吐出口４５，４５よりも前方に配置されている。
【００６５】
図１０，１２に示すように、流路仕切部材３のパイプ部３１における後端（下流側端部）には、整流部材６が設けられている。
【００６６】
整流部材６は、円筒形状の筒状体６１と、筒状体６１の後端外周に外側に張り出すように形成されたフランジ部６２と、筒状体６１の内部に形成された整流板６３とを備えている。
【００６７】
筒状体６１はその外径寸法が、流路仕切部材３のパイプ部３１の内径寸法に対応して形成されており、パイプ部３１内に適合状態に嵌め込むことができるようになっている。
【００６８】
フランジ部６２はその外径寸法が、パイプ部３１の内径寸法よりも大きく、かつパイプ部３１の外径寸法以下に形成されており、筒状体６１をパイプ部３１内に嵌め込んだ際に、パイプ部３１の後端面に係止することにより、パイプ部３１に対し整流部材６の位置決めが図られるとともに、前方への位置ずれが防止されるようになっている。
【００６９】
整流板６３は、周方向に等間隔おきに４枚設けられている。すなわち、正面視の状態で、各整流板６３は、その各内端が軸心位置において接続一体化され、かつ外端が筒状体６１の内周面に接続一体化されるように放射状に配置され、かつ周方向に９０°の間隔おきに配置されている。さらに各整流板６３は、整流部材６の軸心方向に沿って連続して形成された板状に形成されている。
【００７０】
この整流部材６が、そのフランジ部６２を流路仕切部材３におけるパイプ部３１の後端面に係止させるように、筒状体６１をパイプ部３１の後端部に嵌め込んだ状態で、接着剤によって接着固定される。
【００７１】
なお本実施形態においては、整流部材６を流路仕切部材３に接着剤によって取り付けるようにしているが、本発明において、その取付方法は限定されるものではない。例えば整流部材６を弾力性を有する素材により構成し、パイプ部３１に圧縮圧入して固定する取付方法、整流部材６の筒状体６１における外周面に周溝を形成し、その周溝にＯリング等の弾性部材を収容しておき、その弾性部材をパイプ部３１に圧縮圧入して固定する取付方法、さらに整流部材６の筒状体６１の外周面に雄ねじを刻設するとともに、パイプ部３１の内周面に雌ねじを刻設しておき、整流部材６をパイプ部３１にねじ込んで固定する取付方法等を採用することができる。要は、パイプ部３１内を流通するお湯の水圧に対し、軸心方向の位置ずれや軸回り方向の回転を防止できる程度に固定できて、比較的簡単な操作で着脱できる取付方法であれば、どのような取付方法も採用することができる。
【００７２】
以上の構成の整流部材６が取り付けられた流路仕切部材３は、浴槽の側壁Ｗに槽外取付部材１と共に組み付けられた上記の雄ねじ部材２に、周知の係合手段によって着脱自在に係合されるとともに、その係合状態で、前面側から、ねじ３５（図２参照）が流路仕切部材３の円板部４１および雄ねじ部材２のフランジ部２５にねじ込まれて固定される。
【００７３】
この組付状態では、流路仕切部材３におけるパイプ部３１が、雄ねじ部材２の内部に配置される槽外取付部材１の内筒部１１に挿入されて、浴槽の側壁Ｗを貫通するような状態に配置されている。
【００７４】
さらにこの組付状態では、槽外取付部材１の内筒部１１と流路仕切部材３のパイプ部３１との間に配置されたＯリング（図示省略）によって、両部材１１，３１間の水密が図られるとともに、流路仕切部材３の円板部４１の後面に設けられたパッキン（図示省略）によって、流路仕切部材３の円板部４１と、雄ねじ部材２のフランジ部２５との間の水密が図られるようになっている。
【００７５】
ここで本実施形態において、槽外取付部材１の外管接続部１３、内筒部１１、流路仕切部材３のパイプ部３１、弁室４の各内部が連通接続されて、吐出流路Ａが形成される。そして外管接続部１３から吐出流路Ａ内に導入されたお湯は、吐出流路Ａを通って吐出口４５，４５から吐出されるようになっている。
【００７６】
図１〜４に示すように、フィルター９は、流路仕切部材３の前面側を覆うように配置される。本実施形態において、フィルター９は、カバー部材を構成するものである。
【００７７】
フィルター９は、正面視において縦長の長円形状を有しており、周側壁９１と、その周側壁９１の前面側を閉塞する前壁９２とを備えている。
【００７８】
周側壁９１には、その上部を除いて、開口部９３が形成されるとともに、開口部９３には、縦横に格子部材９４が形成されている。そして吐出口４５，４５から吐出されたお湯が開口部９３を通って浴槽内に供給されるようになっている。
【００７９】
このフィルター９が、流路形成部材３を覆うようにして、周知の係合手段によって流路形成部材３に着脱自在に取り付けられている。
【００８０】
このフィルター組付状態において、フィルター９の格子部材９４のうち、前後方向に延びる格子部材のいずれかの格子部材９４１が、上記流路仕切部材３の分流部５８に対応して配置されている。換言すれば、分流部５８は、格子部材９４１に対応する位置に形成されている。
【００８１】
さらにこの組付状態においては、フィルター９の前壁９２と、流路仕切部材３の仕切壁５６との間には隙間が形成されている。
【００８２】
言うまでもなく、本発明において、出湯具の浴槽への組付手順は、限定されるものではなく、どのような手順で行っても良い。
【００８３】
浴槽に組み付けられた出湯具は、槽外取付部材１の外管接続部１３と、室外給湯機とが外管によって配管接続される。
【００８４】
そして給湯機から外管接続部１３を介して吐出流路Ａに導入されたお湯は、吐出流路Ａを通って、吐出口４５，４５から吐出されて、フィルター９の開口部９３を介して浴槽内に供給されるようになっている。
【００８５】
次に本実施形態において、整流部材３による整流作用について説明する。図１２は本実施形態の出湯具における吐出流路周辺を模式化して示すブロック図である。同図に示すように、出湯具における吐出流路Ａのうち、流路仕切部材３のパイプ部３１の内部によって構成される流路を第１センター流路Ａ１とし、槽外取付部材１の内筒部１１の内部とによって構成される流路を第２センター流路Ａ２とし、槽外取付部材１の外管接続部１３の内部によって構成される流路を導入流路Ａ３としたとき、センター流路Ａ１，Ａ２は、出湯具の軸心に沿って直線上に配置されるとともに、導入流路Ａ３は、センター流路Ａ１，Ａ２に対し、ほぼ直角に配置されている。従って、お湯が導入流路Ａ３を通って第２センター流路Ａ２に導入された際に、お湯の流れ方向が９０°方向転換することになる。このようにお湯が９０°折れ曲がって流動した際には、渦流が発生してしまう。
【００８６】
渦流が発生したままの状態では、センター流路Ａ２，Ａ１および弁室４を通過するお湯の流れに偏りが生じ、流れが偏った状態でお湯が吐出口４５，４５から吐出される。さらに２つの吐出口４５，４５間においても、お湯の流量や流速、吐出方向等にバラツキが生じてしまう。このように流量等にバラツキがあり、流れが偏った状態で吐出口４５，４５からお湯が吐出されると、お湯の流れが乱れて不安定となってしまい、流量を十分に確保できないばかりか、後述するように、湯はり時に高温出湯を行った際に、形状記憶バネ５５により高温異常を検知できなかったり、通常の差し湯時に高温異常を検知してしまう等の不具合が発生する。
【００８７】
そこで、本実施形態の出湯具においては、流路仕切部材３のパイプ部３１の後端部、つまり第１センター流路Ａ１の上流側端部に、整流部材６を配置しているため、導入流路Ａ３から第２センター流路Ａ２にお湯が導入した際に渦流が発生したとしても、そのお湯が整流部材６を通過する際に、整流板６３に沿って流れて整流されることにより、渦流が消失する。こうして整流されたお湯が第１センター流路Ａ１および弁室４を通過するため、
整流状態でお湯が吐出口４５，４５から吐出される。さらに２つの吐出口４５，４５間においても流量や流速、吐出方向等にバラツキがなく均等な状態となる。このようにバラツキがなく、整流状態でお湯が吐出口４５，４５から吐出されると、お湯の流れが乱れず安定し、流量を十分に確保できる上さらに、後述するように、湯はり時に高温出湯を行った際に、形状記憶バネ５５により高温異常を精度良く検知できるとともに、通常の差し湯時に不用意にも高温異常を検知してしまういう不具合も確実に防止することができる。
【００８８】
ここで、本実施形態において、整流部材６は、流路仕切部材３のパイプ部３１の前端部や中間部ではなく、後端部に配置する必要がある。すなわちパイプ部３における整流部材６を取り付けた領域は、流路内径が小さくなり、流路断面積が小さくなるため、流速が速くなる。このため仮に整流部材６をパイプ部３１の前半部（第１センター流路Ａ１の下流側）に取り付けると、渦流は消失するものの、流速の速い状態でお湯がパイプ部３１を抜け出して弁室４に流入する。そしてこの流速の速いお湯が、弁室４において方向転換することになり、そうすると、乱流が生じ易く、整流した意味がなくなり、流量も減少してしまう。このように整流部材６をパイプ部３１の前端部や中間部に取り付けた場合、渦流は消失するものの、乱流が生じるという新たな問題が発生する。
【００８９】
そこで、本実施形態のように、整流部材６をパイプ部３１の後端部（上流側端部）に取り付けた場合には、整流部材６を抜け出してから弁室４に至るまでの第１センター流路Ａ１の距離を十分に長く確保することができる。この整流後の第１センター流路Ａ１は、整流部材６が配置されていないため、流路断面積が大きく、お湯の流速を低下させることができる。従って、お湯が整流部材６を通過することによって、流速が一旦上昇するものの、整流後の第１センター流路Ａ１を通過する間に流速を適度に低下させることができる。このように流速を十分低下させてからお湯を弁室４に導入させて方向転換させることができ、乱流が発生するのも確実に防止することができる。
【００９０】
また本実施形態においては、この整流部材６は、軸心方向の長さ寸法を、仕切部材３のパイプ部３１における軸心方向の長さ寸法に対し、１／２〜１／８に調整するのが好ましく、より好ましくは１／３〜１／６に調整するのが好ましい。すなわち、整流部材６の長さが長過ぎる場合には、流速が速くなり過ぎて、乱流が発生するおそれがある。逆に整流部材６の長さが短過ぎる場合には、整流作用を十分に発揮できず、渦流を消失させることができないおそれがある。
【００９１】
なお、本実施形態において、第１，第２センター流路Ａ１，Ａ２によって、軸心方向流路が構成されている。
【００９２】
ところで、高温差し湯型の給湯機は、機種等によって、供給されるお湯の流量が異なるが、本実施形態の出湯具は、流量が多い場合（高流量の場合）と、流量が少ない場合（低流量の場合）とでは、吐出口４５，４５から吐出されるお湯の流れ方（流動特性）が異なっている。
【００９３】
まず高流量の場合には、図１１（ａ）に示すように、吐出流路Ａ内を流れるお湯の勢いが強いため、吐出口４５，４５から吐出されるお湯は、その一部が拡散誘導部４６，４６に案内されて、外側（他側方）、つまり形状記憶バネ５５から遠ざかる方向に誘導されることにより、全体として周方向に拡散して吐出される。なお、同図においては、破線の矢印でお湯の流れを概略的に示している。
【００９４】
さらに本実施形態においては、吐出口４５，４５の下流側に分流部５８，５８を形成しているため、吐出口４５，４５から吐出されるお湯は、その一部が分流部５８，５８の外側誘導面５８１，５８１によって外側に分流することにより、全体としてさらに拡散するようになる。
【００９５】
このように本実施形態の出湯具は、高流量の場合には、吐出口４５，４５から吐出されるお湯が外側に放射状に拡散するように流動し、部分的に見れば流量が少なく勢いも軽減されている。
【００９６】
なお、図１１（ａ）においては、右側半分のみを示しているが、言うまでもなく、高流量の場合のお湯の流れ方は、左側半分も右側半分と実質的に同じである。
【００９７】
一方、低流量の場合には、図１１（ｂ）に示すように、吐出流路Ａを流れるお湯の勢いが弱いため、吐出口４５，４５内の拡散誘導部４６，４６や、仕切壁５６，５７の外側誘導面５７，５７に沿って流れるお湯は、外側に飛散することなく自重により下方に流下する。このため、お湯は、外側に拡散せず、仕切壁５６，５６の近傍（形状記憶バネ５５の周辺）において、まとまった状態で下方に流動するようになる。なお、同図においては、破線の矢印でお湯の流れを概略的に示している。
【００９８】
さらに吐出口４５，４５から吐出されるお湯は、拡散せずに、まとまって下方に流動するため、分流部５８，５８の内側を通過する。このため、お湯が分流部５８，５８による影響を受けることがなく、この点においても、お湯の拡散が防止されている。たとえお湯が分流部５８，５８の周辺を通過したとしても、お湯の勢いが弱いため、上記と同様、お湯が必要以上に拡散するようなことはない。
【００９９】
このように低流量の場合には、吐出口４５，４５から吐出されるお湯は、外側に拡散せずにまとまって下方に流動し、部分的に見れば所定の流量を確保でき、勢いもある程度確保されている。
【０１００】
なお、図１１（ｂ）においては、左側半分のみを示しているが、言うまでもなく、低流量の場合のお湯の流れ方は、右側半分も左側半分とと実質的に同じである。
【０１０１】
本実施形態において、差し湯（追い焚き）を行う場合、つまり低温のお湯（水）が浴槽内に残っている状態で浴槽内のお湯を入浴に適切な温度に調整する場合には、給湯機から８０℃以上の高温のお湯が外管に供給され、そのお湯が外管接続部１３を介して吐出流路Ａに導入され、さらに図３に示すようにそのお湯が吐出流路Ａを通って、吐出口４５，４５から吐出されて、フィルター９の開口部９３を介して浴槽内に供給される。こうして供給される高温のお湯と、浴槽内の低温のお湯とが混ざり合って、浴槽内のお湯の温度が所定の温度になるまで、高温のお湯の供給が行われる。
【０１０２】
本実施形態において、湯はりを行う場合、つまり空の浴槽にお湯を溜める場合、給湯機から入浴に適切な温度のお湯が外管に供給され、そのお湯が外嵌接続部１３を介して吐出流路Ａに導入され、さらに図３に示すようにそのお湯が吐出流路Ａを通って、吐出口４５，４５から吐出されて、フィルター９の開口部９３を介して浴槽内に供給される。こうして浴槽内に適量のお湯が溜まるまで、適温のお湯の供給が行われる。
【０１０３】
また湯はりを行うに際して、差し湯と間違って高温のお湯を供給（高温出湯）した場合には、出湯具の吐出流路Ａを通って吐出口４５，４５から吐出される高温のお湯は、フィルター９２内の部位、例えばフィルター９２の前壁９２、周側壁９３（格子部材９４，９４１や開口部９３の周縁部）等のフィルター内面や、バネ受け片４７等に、跳ね返って飛散する。さらにその飛散した高温のお湯の一部が、両側仕切壁５６，５６の下端間の隙間や、両側仕切壁５６，５６の前端とフィルター９２の前壁９２との間の隙間等から、両側仕切壁５６，５６間に流入して、形状記憶バネ５５に接触する。これにより図４に示すように、形状記憶バネ５５が高温を感知して収縮し、弁部材５２が圧縮コイルバネ５４の付勢力に抗して降下し、遮断弁５３，５３が吐出口４５，４５を閉塞する。こうして、お湯の供給が停止されて、高温のお湯の供給が直ちに停止される。
【０１０４】
ここで、本実施形態の出湯具においては、特に高流量の場合、通常の差し湯時に浴槽内の温度が規定温度に到達する前に、不用意に形状記憶バネ５５が高温異常を感知してしまうという不具合を確実に防止することができる。
【０１０５】
すなわち、差し湯を行う場合、高流量であると、吐出口４５，４５から吐出される高温のお湯は勢いが強いため、その高温のお湯が形状記憶バネ５５の周辺部に供給され易く、浴槽内の温度が規定温度に到達する前に、形状記憶バネ５５により高温異常を感知するおそれがある。
【０１０６】
これに対し上記図１１（ａ）で説明したように、本実施形態の出湯具において、高流量の場合、吐出口４５，４５から吐出されるお湯は、外側（他側方）に大きく拡散して吐出されるため、仕切壁５６，５６の近傍（形状記憶バネ５５の周辺）においては部分的に、お湯の勢いが軽減され、流量も少なくなっている。このため、仕切壁５６，５６近傍において、高温のお湯は残り湯にスムーズに混ざり合って温度が低下することにより、高温のお湯が形状記憶バネ５５側に所要量以上導入されることがなく、形状記憶バネ５５の周辺温度が必要以上に高温になることはない。従って通常の差し湯時に、浴槽内の温度が規定温度に到達する前に、形状記憶バネ５５により高温異常が感知されるという不具合を確実に防止することができる。
【０１０７】
その上さらに、本実施形態においては、分流部５８，５８を、格子部材９４１，９４１に対応させた位置に形成しているため、差し湯時に、お湯が格子部材９４１，９４１を避けるように分流部５８，５８によって分流されるため、お湯が、格子部材９４１，９４１に勢い良く当接するのを防止することができる。このため、高温のお湯が格子部材９４１，９４１で跳ね返って方向転換し形状記憶バネ５５等に適度に向かうのを防止でき、通常の差し湯時に、浴槽内の温度が規定温度に到達する前に、形状記憶バネ５５により高温異常が感知されるのをより一層確実に防止することができる。
【０１０８】
なお言うまでもなく、低量流で差し湯を行った場合には、吐出口４５，４５から吐出されるお湯の勢いが弱く、流量も少ないため、高温のお湯は浴槽内の残り湯にスムーズに混ざり合って温度が低下することにより、高温のお湯が形状記憶バネ５５の周辺に所要量以上供給されれることがない。従って上記の高流量の場合と同様、通常の差し湯時に、浴槽内の温度が規定温度に到達する前に、形状記憶バネ５５により高温異常が感知されるという不具合を確実に防止することができる。
【０１０９】
一方、本実施形態の出湯具において、低流量で湯はり時に高温出湯を行った場合、直ちにお湯の供給が停止される。
【０１１０】
すなわち、湯はり時に高温出湯を行った場合、低流量であると、吐出口４５，４５から吐出される高温のお湯の勢いが弱いため、高温のお湯がフィルター内の部位等で十分に跳ね返らず、高温のお湯が形状記憶バネ５５に接触せず、不用意にも高温のお湯の供給が停止されないおそれがある。
【０１１１】
これに対し上記図１１（ｂ）で説明したように、本実施形態の出湯具において、低流量の場合、吐出口４５，４５から吐出されるお湯は、外側に拡散することなく、まとまった状態で下方に流動するため、仕切壁５６，５６の近傍（形状記憶バネ５５の周辺）においては部分的に、所定の流量を確保でき、勢いもある程度確保することができる。このため、お湯の一部が、フィルター内の部位で十分に跳ね返って形状記憶バネ５５に到達することにより、形状記憶バネ５５が高温を感知して、お湯の供給が停止される。このように湯はり時に高温出湯を行った際には、お湯の供給を確実に停止させることができる。
【０１１２】
しかも本実施形態においては、仕切壁５６，５６の下流側端部に回り込み誘導面５６１，５６１を形成しているため、仕切壁５６，５６に沿って流動するお湯は、勢いが弱いため、表面張力の影響によって、回り込み誘導面５６１，５６１に沿って内側に回り込む。このため、湯はり時の高温のお湯は、形状記憶バネ５５側に確実に導かれ、お湯の供給を確実に停止させることができる。
【０１１３】
なお高流量で差し湯を行う際には、回り込み誘導面５６１，５６１によって、お湯が内側に回り込むのが防止される。すなわち、回り込み誘導面５６１，５６１の上流には、外側誘導面５７，５７が配置されているため、高流量で勢いが強いお湯は、その外側誘導面５７，５７によって、外側に誘導されることにより、お湯は回り込み誘導面５６１，５６１側に少量しか行き渡らない。このため、高流量で差し湯を行った際に、お湯が回り込み誘導面５６１，５６１に沿って内側に回り込むのが防止される。
【０１１４】
また言うまでもなく、高流量の場合に、湯はり時に高温出湯を行ったとしても、吐出口４５，４５から吐出されるお湯の勢いが強く、流量も多いため、お湯の一部がフィルター内の部位で跳ね返って形状記憶バネ５５に確実に到達してバネ５５が高温を感知することにより、お湯の供給を確実に停止できる。
【０１１５】
以上のように、本実施形態の出湯具によれば、流路仕切部材３のパイプ部３１に整流部材６を配置しているため、お湯が整流部材６を通過することにより、整流されて渦流が消失され、お湯の流れに偏りが生じず、整流状態で吐出口４５，４５から吐出される。こうして吐出されるお湯は流れが安定するため、流量を十分に確保できるとともに、形状記憶バネ５５による検知精度を向上させることができる。
【０１１６】
特に本実施形態のように、吐出口４５，４５が２つ形成される場合には、２つの吐出口４５，４５間において流量や流速等にバラツキが生じず、両吐出口４５，４５から均等な状態でお湯を吐出させることができ、上記の効果をより一層確実に得ることができる。
【０１１７】
さらに本実施形態において、整流部材６は、流路仕切部材３のパイプ部３１に嵌め込んで取り付けるものであるため、既存の出湯具に、後付けで整流部材６を取り付けることもでき、優れた汎用性を備えるものである。
【０１１８】
また、本実施形態の出湯具によれば、高流量の場合には、吐出口４５，４５から吐出されるお湯を外側に分散させることができるとともに、低流量の場合には、分散させずに、まとまった状態で下方に流出させることができる。このため、お湯の流量にかかわらず、湯はり時に高温出湯を行った場合等の緊急時に、所要量以上の高温のお湯が確実に形状記憶バネ５５側に導かれるとともに、通常の差し湯時に、高温のお湯が不用意に形状記憶バネ５５側に導かれるようなことがなく、遮断弁５３，５３を適切に作動させることができる。このため、お湯の供給および停止を的確に行うことができ、出湯具として高い信頼性を得ることができる。
【０１１９】
また本実施形態においては、両側仕切壁５６，５６の前端とフィルター前壁９２との間に隙間が形成されているが、必要時以外にこの隙間から、所要量以上の高温のお湯が両側仕切壁５６，５６内に流入するようなことはなく、必要時以外に形状記憶バネ５５により高温が検知されるのを防止することができる。すなわち、本実施形態においては、両側仕切壁５６，５６の前端位置を、吐出口４５，４５の前端位置よりも前方に配置しているため、吐出口４５，４５から吐出されるお湯は、通常の差し湯時には、両側仕切壁５６，５６よりも後方位置（低位置）を流通することになり、差し湯時に、所要量以上の高温のお湯が両側仕切壁５６，５６の前側を乗り越えて、両側仕切壁５６，５６間に流入することがない。もっとも、湯はり時に高温出湯を行った場合には、吐出口４５，４５から吐出されるお湯は、フィルター内の部位に跳ね返って、両側仕切壁５６，５６の前側を乗り越えて、両側仕切壁５６，５６間に流入されることもある。
【０１２０】
また本実施形態においては、吐出口４５，４５を２つ形成するものであるため、吐出口を１つだけにする場合と比較して、吐出口４５，４５の各開口寸法（孔径）を小さくすることができる。このため低流量で、湯はり時に高温出湯を行った場合、各吐出口４５，４５毎においてお湯の勢いをある程度確保することができる。さらに吐出口４５，４５を２つ形成するため、高流量の状態においては、流路抵抗を少なくすることができ、十分な流量を確保することができる。つまり、低流量の場合には流速を確保できるとともに、高流量の場合には流量を十分に確保することができる。
【０１２１】
また本実施形態においては、形状記憶バネ５５の両側に下向きの吐出口４５，４５を配置しているため、出湯具自体の取付状態が周方向（回転方向）に位置ずれして、吐出口４５，４５が斜め下向きに傾いて配置されたとしても、高精度で高温のお湯を感知することができる。
【０１２２】
すなわち、形状記憶バネの片側に１つの吐出口を形成した場合、出湯具が、その形状記憶バネの下側に吐出口が位置するように傾いて取り付けられると、吐出口から吐出される高温のお湯は、形状記憶バネ側に供給され難くなり、高温のお湯を十分に感知できないおそれがある。逆に、出湯具が、その形状記憶バネの上側に吐出口が位置するように傾いて取り付けられると、吐出口から吐出される高温のお湯は、形状記憶バネ側に供給され易くなり、高温のお湯を必要以上に感知してしまうおそれがある。このように吐出口が１つだけの場合には、出湯具の傾きによって、形状記憶バネに対してお湯のかかり具合が異なり、形状記憶バネによるお湯の感知精度が低下してしまう。
【０１２３】
これに対し、本実施形態においては、形状記憶バネ５５の両側に吐出口４５，４５を配置しているため、出湯具が傾いて取り付けられた場合、形状記憶バネ５５の上側に配置された一方の吐出口４５からのお湯は、形状記憶バネ５５側に供給され易く、下側に配置される他方の吐出口４５からのお湯は、形状記憶バネ５５側に供給され難くなる。つまり、一方では形状記憶バネ５５側へのお湯の供給が多くなるものの、他方では少なくため、２つの吐出口４５，４５が傾いて配置された際の互いの欠点が相殺される。従って、出湯具が傾いて配置された場合でも、形状記憶バネ５５により、高精度でお湯を感知することができ、出湯具の傾きにかかわらず、お湯の感知性能を維持でき、信頼性をより一層向上させることができる。
【０１２４】
なお上記実施形態においては、吐出口を下向きに配置しているが、それだけに限られず、本発明においては、斜め下向きに配置するようにしても良い。
【０１２５】
また上記実施形態においては、本発明を、給湯機からのお湯を浴槽内に供給するだけの出湯具に適用した場合を例に挙げて説明したが、それだけに限られず、本発明においては、浴槽内のお湯を吸引して給湯機に戻すとともに、給湯機からのお湯を浴槽内に供給する循環式の給湯口アダプターにも適用することができる。
【０１２６】
さらに上記実施形態においては、整流部材６の整流板６３を４つ設ける場合を例に挙げて説明したが、本発明においては、整流板の枚数、配置位置、形状等の構成は、上記実施形態のものだけに限られることはない。例えば整流板を３枚以下または５枚以上形成するようにしても良いし、整流板を、正面断面視の状態で、放射状ではなく、縦縞状、横縞状、格子状に形成するようにしても良い。本発明において整流部材は、少なくとも１枚以上の整流板が軸心方向に沿って配置されていれば良い。
【０１２７】
また上記実施形態においては、整流部材６を流路仕切部材３のパイプ部３１内に設けているが、本発明において、整流部材の設置位置は限定されるものではない。例えば本発明においては、整流部材を槽外取付部材１の内筒部（パイプ接続部）１１に設置しても良い。つまり、本発明においては、整流部材６が、流路仕切部材３のパイプ部３１および槽外取付部材１の内筒部（パイプ接続部）１１により構成されるセンター流路（軸心方向流路）Ａ１，Ａ２の上流側に設けられていれば良い。
【０１２８】
また上記実施形態において、槽外取付部材１の外管接続部１３は、その軸心が流路仕切部材３のパイプ部３１の軸心に対しほぼ直角に配置されるようにしているが、それだけに限られず、本発明は、軸心方向流路Ａ１，Ａ２の上流側、例えばパイプ部３１の手前（下流側）で、お湯が、少しでも方向転換するような出湯具であれば、どのような出湯具にでも適用することができる。
【産業上の利用可能性】
【０１２９】
この発明の浴槽用出湯具は、例えば一般家庭の浴槽に適用することができる。
【符号の説明】
【０１３０】
１：槽外取付部材
１１：内筒部（パイプ接続部）
１３：外管接続部
３：流路仕切部材
３１：パイプ部
４２：弁ケーシング本体（ケーシング部）
４３：弁ケーシング蓋（ケーシング部）
４５：吐出口
５５：形状記憶バネ（形状記憶部材）
６：整流部材
６１：筒状体
６３：整流板
９：フィルター（カバー部材）
Ａ１：第１センター流路（軸心方向流路）
Ａ２：第２センター流路（軸心方向流路）
Ｈ：取付孔
Ｗ：浴槽の側壁
【図１】
0005647586.tif 000002
【図２】
0005647586.tif 000003
【図３】
0005647586.tif 000004
【図４】
0005647586.tif 000005
【図５】
0005647586.tif 000006
【図６】
0005647586.tif 000007
【図７】
0005647586.tif 000008
【図８】
0005647586.tif 000009
【図９】
0005647586.tif 000010
【図１０】
0005647586.tif 000011
【図１１】
0005647586.tif 000012
【図１２】
0005647586.tif 000013
【図１３】
0005647586.tif 000014